(57)【特許請求の範囲】
【請求項１】
筬を駆動する織機駆動モータから独立した開口駆動手段によって綜絖枠を駆動し、前記織機駆動モータから独立して織布の織前を移動する織前移動手段を備えた織機において、
前記織機駆動モータを停止させた状態で、前記開口駆動手段を作動させて、緯糸を織前から除去可能な開口状態を形成し、
前記織機駆動モータ停止時における前記開口駆動手段の前記織機駆動モータから独立した作動の作動量に対応する織前の仮想移動量を緯糸密度情報を用いて算出し、前記仮想移動量をもたらすように前記織機駆動モータ停止時における前記織前移動手段の作動量を制御して、前記開口駆動手段の前記織機駆動モータから独立した作動に引き続いて織布の織前位置を調整する織機における織段発生防止方法。
【請求項２】
前記織機駆動モータが停止した際に最終緯入れされた緯糸に対応する前記綜絖枠の最終開口パターン情報を記憶しておき、前記記憶された最終開口パターン情報に基づいて前記最終緯入れされた緯糸を織前から除去可能に前記開口駆動手段の作動を制御する請求項１に記載の織機における織段発生防止方法。
【請求項３】
緯入れミス発生に伴って前記織機駆動モータが停止した際には、前記織機駆動モータを動かすことなく緯入れミス発生時の開口パターン情報に基づいて緯入れミスした緯糸を織前から除去可能に前記開口駆動手段の作動を制御する請求項１に記載の織機における織段発生防止方法。
【請求項４】
前記算出された仮想移動量を少なくとも経糸種類、織物種類、経糸張力のうちの１つに基づく補正情報に基づいて補正する請求項１乃至請求項３のいずれか１項に記載の織機における織段発生防止方法。
【請求項５】
筬を駆動する織機駆動モータから独立した開口駆動手段によって綜絖枠を駆動し、前記織機駆動モータから独立して織布の織前を移動する織前移動手段を備えた織機において、
織機駆動モータ作動時には開口パターン情報及び織機回転角度情報に基づいて開口駆動手段の作動を制御するとともに、緯糸除去時には緯糸を織前から除去可能な経糸の開口状態を形成するように前記織機駆動モータ停止時における該織機駆動モータから独立した前記開口駆動手段の作動の作動量を制御する制御手段と、
前記織機駆動モータ停止時における前記開口駆動手段の前記織機駆動モータから独立した作動の作動量に対応する織前の仮想移動量を緯糸密度情報を用いて算出する仮想移動量算出手段と、
前記仮想移動量算出手段によって算出された仮想移動量に基づいて前記織機駆動モータ停止時における前記織前移動手段の作動量を制御する作動量制御手段とを備え、
前記作動量制御手段により制御される前記織前移動手段の作動を、前記開口駆動手段の前記織機駆動モータから独立した作動に引き続いて行なうようにした織機における織段発生防止装置。
【請求項６】
前記織機駆動モータ停止時における前記開口駆動手段の作動量を指示する作動量指示手段を備え、前記仮想移動量算出手段は、前記作動量指示手段によって指示された作動量に基づいて前記仮想移動量を算出する請求項５に記載の織機における織段発生防止装置。
【請求項７】
前記織機駆動モータが停止した際に最終緯入れされた緯糸に対応する最終開口パターン情報を記憶する記憶手段と、前記最終緯入れされた緯糸を織前から除去可能に前記開口駆動手段の作動を制御する口出し制御手段とを備え、前記口出し制御手段は、前記記憶された最終開口パターン情報に基づいて前記最終緯入れされた緯糸を織前から除去可能に前記開口駆動手段の作動を制御する請求項５及び請求項６のいずれか１項に記載の織機における織段発生防止装置。
【請求項８】
開口パターン情報を記憶する開口パターン記憶手段と、緯入れミス発生の際には緯入れミス発生時の開口パターン情報に基づいて緯入れミスした緯糸を織前から除去可能に前記開口駆動手段の作動を制御するミス糸除去用口出し制御手段とを備え、前記ミス糸除去用口出し制御手段は前記織機駆動モータを動かすことなく緯入れミス発生時の開口パターン情報に基づいて緯入れミスした緯糸を織前から除去可能に前記開口駆動手段の作動を制御するようにした請求項５及び請求項６のいずれか１項に記載の織機における織段発生防止装置。
【請求項９】
前記織前移動手段は、ワープビームから経糸を送り出すための送り出しモータ、及び織布をクロスローラ側へ引き取るための巻き取りモータの少なくとも一方である請求項５乃至請求項８のいずれか１項に記載の織機における織段発生防止装置。
【請求項１０】
前記織前移動手段は前記送り出しモータを含み、前記作動量制御手段は、前記ワープビームの径情報を用いて前記送り出しモータの作動量を演算する請求項９に記載の織機における織段発生防止装置。
【請求項１１】
前記作動量制御手段によって演算された前記織前移動手段の作動量を少なくとも経糸種類、織物種類、経糸張力のうちの１つに基づく補正情報に基づいて補正するための補正手段を備えている請求項５乃至請求項１０のいずれか１項に記載の織機における織段発生防止装置。
【請求項１２】
前記開口駆動手段は、製織時において前記綜絖枠を個別に駆動する開口駆動モータである請求項５乃至請求項１１のいずれか１項に記載の織機における織段発生防止装置。
【発明の詳細な説明】
【０００１】
【発明の属する技術分野】
本発明は、織機における織段発生防止方法及び装置に関するものである。
【０００２】
【従来の技術】
特開平６−３４６３４５号公報に開示されるジェットルームでは、機台、送り出し部、巻き取り部がそれぞれ独立した駆動モータを有し、織機の回転、経糸の送り出し、織布の巻き取りがそれぞれ独立して行われるようになっている。緯入れミス発生に伴う不良緯糸を除去する場合には、不良緯糸を除去可能な経糸開口をもたらす主軸角度まで機台用駆動モータ、送り出し部用駆動モータ及び巻き取り部用駆動モータが同期して逆転駆動される。この逆転は実質的に主軸半回転ほどである。次いで、ピックファインディング装置が開口装置と機台用駆動モータとの作動連結を切り離した状態で綜絖枠のみを１回逆転した後に開口装置と機台用駆動モータとを作動連結する。これにより不良緯糸が織前から除去可能となる。不良緯糸を織前から除去した後、新たな１本の緯糸が不良緯糸の代わりに緯入れされる。この状態では開口装置と機台と送り出し部と巻き取り部とが本来の作動位置の関係を持って対応する。即ち、開口装置を構成する綜絖枠の上下位置、織布の織前の位置及び筬の位置が主軸角度に置き換えてみた場合に一致している。そして、織段発生防止のために送り出し部が逆転されると共に、巻き取り部が正転され、適宜な張力が経糸に付与される。
【０００３】
【発明が解決しようとする課題】
この従来技術では、織段の一種である枕段の発生を防止するために製織停止時には筬が織前を叩かないようにしている。そのために前記のような機台用駆動モータ、送り出し部用駆動モータ及び巻き取り部用駆動モータの逆転、ピックファインディング装置が開口装置と機台用駆動モータとの作動連結を切り離した状態で綜絖枠のみを１回逆転するといった手順が採用されている。
【０００４】
タオル製織において緯入れミスが発生した場合、不良緯糸がファーストピック緯糸のときには不良緯糸に先行する２本のルーズピック緯糸も除去する必要がある。しかし、前記従来技術では製織停止時における開口装置の任意の複数回の動作に応じた送り出し部及び巻き取り部の位置合わせができないため、タオル製織時の緯入れミスに伴う複数本の緯糸の除去、あるいは織布上の傷を修復するための複数本の緯糸の除去に伴う織段発生を防止することができない。
【０００５】
本発明は、織段発生を回避しつつ製織停止時における開口装置の動作の自由度を高め得る織段発生防止方法及び装置を提供することを目的とする。
【０００６】
【課題を解決するための手段】
そのために本発明は、筬を駆動する織機駆動モータから独立した開口駆動手段によって綜絖枠を駆動し、前記織機駆動モータから独立して織布の織前を移動する織前移動手段を備えた織機を対象とし、請求項１の発明では、前記織機駆動モータを停止させた状態で、前記開口駆動手段を作動させて、緯糸を織前から除去可能な開口状態を形成し、前記織機駆動モータ停止時における前記開口駆動手段の前記織機駆動モータから独立した作動の作動量に対応する織前の仮想移動量を緯糸密度情報を用いて算出し、前記仮想移動量をもたらすように前記織機駆動モータ停止時における前記織前移動手段の作動量を制御して、前記開口駆動手段の前記織機駆動モータから独立した作動に引き続いて織布の織前位置を調整するようにした。
【０００７】
織前の仮想移動量は開口駆動手段の作動量に対応し、開口駆動手段の作動量が増えるほど前記仮想移動量が大きくなる。仮想移動量は開口駆動手段の作動量に応じて自動決定される。織前から除去される緯糸の本数が増えると開口駆動手段の作動量が緯糸の本数に応じて増加し、仮想移動量は緯糸の除去本数に応じて自動決定される。緯糸密度情報は仮想移動量を算出する上で便利なデータである。
【０００８】
請求項２の発明では、請求項１において、前記織機駆動モータが停止した際に最終緯入れされた緯糸に対応する最終開口パターン情報を記憶しておき、前記記憶された最終開口パターン情報に基づいて前記最終緯入れされた緯糸を織前から除去可能に前記開口駆動手段の作動を制御するようにした。
【０００９】
最終緯入れされた緯糸を織前から除去可能な開口状態が確実に得られる。
請求項３の発明では、請求項１において、緯入れミス発生に伴って前記織機駆動モータが停止した際には、前記織機駆動モータを動かすことなく緯入れミス発生時の開口パターン情報に基づいて緯入れミスした緯糸を織前から除去可能に前記開口駆動手段の作動を制御するようにした。
【００１０】
筬が織前を叩かないようにして織前から緯入れミスした緯糸を除去することができ、製織停止時における筬打ちによる織段発生が防止される。
請求項４の発明では、請求項１乃至請求項３のいずれか１項において、前記算出された仮想移動量を少なくとも経糸種類、織物種類、経糸張力のうちの１つに基づく補正情報に基づいて補正するようにした。
【００１１】
製織再開時におけるきめ細かな織前位置制御が可能である。
請求項５の発明では、織機駆動モータ作動時には開口パターン情報及び織機回転角度情報に基づいて開口駆動手段の作動を制御するとともに、緯糸除去時には緯糸を織前から除去可能な経糸の開口状態を形成するように前記織機駆動モータ停止時における該織機駆動モータから独立した前記開口駆動手段の作動の作動量を制御する制御手段と、前記織機駆動モータ停止時における前記開口駆動手段の前記織機駆動モータから独立した作動の作動量に対応する織布の織前の仮想移動量を緯糸密度情報を用いて算出する仮想移動量算出手段と、前記仮想移動量算出手段によって算出された仮想移動量に基づいて前記織機駆動モータ停止時における前記織前移動手段の作動量を制御する作動量制御手段とを備え、前記作動量制御手段により制御される前記織前移動手段の作動を、前記開口駆動手段の前記織機駆動モータから独立した作動に引き続いて行なうようにした織段発生防止装置を構成した。
【００１２】
作動量制御手段は、算出された仮想移動量に基づいて織機駆動モータ停止時における織前移動手段の作動量を制御し、織前移動手段は前記仮想移動量の織前移動を行なう。
【００１３】
請求項６の発明では、請求項５において、前記織機駆動モータ停止時における前記開口駆動手段の作動量を指示する作動量指示手段を備え、前記仮想移動量算出手段は、前記作動量指示手段によって指示された作動量に基づいて前記仮想移動量を算出するようにした。
【００１４】
作動量指示手段による開口駆動手段の作動量の指示は、開口装置の動作の自由度を高める。
請求項７の発明では、請求項５及び請求項６のいずれか１項において、前記織機駆動モータが停止した際に最終緯入れされた緯糸に対応する最終開口パターン情報を記憶する記憶手段と、前記最終緯入れされた緯糸を織前から除去可能に前記開口駆動手段の作動を制御する口出し制御手段とを備えた織段発生防止装置を構成し、前記口出し制御手段は、前記記憶された最終開口パターン情報に基づいて前記最終緯入れされた緯糸を織前から除去可能に前記開口駆動手段の作動を制御するようにした。
【００１５】
口出し制御手段は、最終開口パターン情報に基づいて最終緯入れされた緯糸を織前から除去可能な開口状態を確実にもたらす。
請求項８の発明では、請求項５及び請求項６のいずれか１項において、開口パターン情報を記憶する開口パターン記憶手段と、緯入れミス発生の際には緯入れミス発生時の綜絖枠の開口パターン情報に基づいて緯入れミスした緯糸を織前から除去可能に前記開口駆動手段の作動を制御するミス糸除去用口出し制御手段とを備えた織段発生防止装置を構成した。
【００１６】
ミス糸除去用口出し制御手段は、緯入れミスした緯糸を織前から除去可能な開口状態を織機駆動モータを動かすことなく確実にもたらす。
【００１７】
請求項９の発明では、請求項５乃至請求項８のいずれか１項において、前記織前移動手段は、ワープビームから経糸を送り出すための送り出しモータ、及び織布をクロスローラ側へ引き取るための巻き取りモータの少なくとも一方とした。
【００１８】
送り出しモータあるいは巻き取りモータは織前移動手段として好適である。
請求項１０の発明では、請求項９において、前記送り出しモータを含む前記織前移動手段を構成し、前記ワープビームの径情報を用いて前記織前移動手段の作動量を演算する前記作動量制御手段を構成した。
【００１９】
ワープビームの径が異なれば、送り出しモータの回転量が同じでも経糸の移送量が異なる。従って、ワーブビーム径は織段発生抑制のための仮想移動量を算出する上で有効なデータである。
【００２０】
請求項１１の発明では、請求項５乃至請求１０のいずれかにおいて、前記作動量制御手段によって演算された前記織前移動手段の作動量を少なくとも経糸種類、織物種類、経糸張力のうちの１つに基づく補正情報に基づいて補正するための補正手段を備えた織段発生防止装置を構成した。
【００２１】
経糸種類、織物種類等に応じたきめ細かな織前位置制御が可能である。
請求項１２の発明では、請求項５乃至請求項１１のいずれか１項において、前記開口駆動手段は、製織時において前記綜絖枠を個別に駆動する開口駆動モータとした。
【００２２】
開口駆動モータは開口駆動手段として好適である。
【００２３】
【発明の実施の形態】
以下、本発明を具体化した第１の実施の形態を図１〜図７に基づいて説明する。
【００２４】
図１に示すＭｏは織機駆動モータであり、織機駆動モータＭｏは織機制御コンピュータＣｏの制御を受ける。Ｍ１は織機駆動モータＭｏから独立した送り出しモータであり、送り出しモータＭ１はワープビーム１２を駆動する。ワープビーム１２から送り出される経糸Ｔはバックローラ１３及び張力検出ローラ１４を経由して綜絖枠１５及び筬１６を通される。織布Ｗはエキスパンションバー１７、サーフェスローラ１８、プレスローラ１９を経由してクロスローラ２０に巻き取られる。
【００２５】
プレスローラ１９と協働して織布Ｗをクロスローラ２０側へ引き取るサーフェスローラ１８は、織機駆動モータＭｏから独立した正逆転可能な巻き取りモータＭ２によって駆動される。クロスローラ２０はサーフェスローラ１８に連動して正逆転する。巻き取りモータＭ２は巻き取り制御装置Ｃ２の制御を受ける。巻き取り制御装置Ｃ２は、巻き取りモータＭ２に組み込まれたロータリエンコーダＭｅ２からの回転角度検出信号に基づいて巻き取りモータＭ２の回転速度をフィードバック制御する。
【００２６】
経糸Ｔの張力は、張力検出ローラ１４、イージングレバー２１、検出レバー２２を介して経糸張力検出器２３により検出される。送り出しモータＭ１は送り出し制御装置Ｃ１の制御を受ける。送り出し制御装置Ｃ１は、予め設定された基準張力及び経糸張力検出器２３から得られる張力検出情報に基づいて送り出しモータＭ１の回転速度を制御する。そして、送り出し制御装置Ｃ１は、送り出しモータＭ１に組み込まれたロータリエンコーダＭｅ１からの回転角度検出信号に基づいて送り出しモータＭ１の回転速度をフィードバック制御する。
【００２７】
図１に示すように、綜絖枠１５の下方には開口駆動モータ２４が配置されている。開口駆動モータ２４の出力軸２４１にはクランク円板２５が止着されており、クランク円板２５と綜絖枠１５の下枠とはコネクティングロッド２６を介して連結されている。クランク円板２５及びコネクティングロッド２６はクランク機構を構成し、開口駆動モータ２４の一方向への回転がクランク機構を介して綜絖枠１５の上下動に変換される。
【００２８】
図２に示すように、開口駆動モータ２４は開口制御装置Ｃ３の指令制御を受ける。織機制御コンピュータＣｏには開口パターン記憶装置２８が接続されている。開口パターン記憶装置２８には複数の綜絖枠１５（本実施の形態では４つ）の上下動運動を表す開口パターンが記憶されている。綜絖枠１５が最上位位置（上開口位置）にあるときを１、綜絖枠１５が最下位位置（下開口位置）にあるときを０のようにして表すと、１つの綜絖枠１５の上下動運動は例えば（・・・１，１，０，０・・・）のように表される。（・・・１，１・・・）の後の１の所では綜絖枠１５は織機１回転の間にわたって上開口位置に停止し、（・・・０，０・・・）の後の０の所では綜絖枠１５は織機１回転の間にわたって下開口位置に停止する。（・・・１，０・・・）の所では綜絖枠１５は上開口位置から下開口位置へ移行し、（・・・０，１・・・）の所では綜絖枠１５は下開口位置から上開口位置へ移行する。各綜絖枠１５の上下動運動は前記のような０，１の列で表される。ここで、ａ１，ｂ１，ｃ１，ｄ１，ａ２，ｂ２，ｃ２，ｄ２，ａ３，ｂ３，ｃ３，ｄ３，ａ４，ｂ４，ｃ４，ｄ４を０又は１とし、４つの綜絖枠１５の上下動運動は、図１の右側のものから順に、(・・・a1,b1,c1,d1・・・) ，(・・・a2,b2,c2,d2・・・) ，(・・・a3,b3,c3,d3・・・) ，(・・・a4,b4,c4,d4・・・) のように表されるものとする。ここで言う開口パターンは、緯入れ毎の各綜絖枠１５の上開口位置又は下開口位置を表す(a1,a2,a3,a4) ，(b1,b2,b3,b4) ，(c1,c2,c3,c4) ，(d1,d2,d3,d4) ・・・のことである。例えば、(a1,a2,a3,a4) ＝（０，１，０，１）という開口パターンの情報は、図１の右から１番目の綜絖枠１５を下開口位置、図１の右から２番目の綜絖枠１５を上開口位置、図１の右から３番目の綜絖枠１５を下開口位置、図１の右から４番目の綜絖枠１５を上開口位置に配置するという状態を表す。
【００２９】
織機制御コンピュータＣｏは開口パターン記憶装置２８から開口パターンを読み取って開口制御装置Ｃ３に送る。開口制御装置Ｃ３は、織機制御コンピュータＣｏから送られる開口パターン情報、及び織機回転角度検出用のロータリエンコーダ２７から得られる織機回転角度情報に基づいて開口駆動モータ２４の作動を制御する。そして、開口制御装置Ｃ３は、開口駆動モータ２４に組み込まれたロータリエンコーダ２４２から得られる回転角度情報に基づいて開口駆動モータ２４をフィードバック制御する。
【００３０】
図２に示すように、緯糸Ｙは緯入れ用メインノズル２９から射出されて緯入れされる。緯糸Ｙは緯入れ末端側に設置された緯入れミス検出器３０によって所定位置への到達の有無を検出される。緯入れミス検出器３０は緯糸Ｙの到達有りの検出信号を織機制御コンピュータＣｏに出力する。織機制御コンピュータＣｏは、緯入れミス検出器３０からの緯糸到達有り検出信号が所定の織機回転角度範囲内で入力した場合には織機駆動モータＭｏの作動を継続して製織を継続する。織機制御コンピュータＣｏは、緯入れミス検出器３０からの緯糸到達有り検出信号が所定の織機回転角度範囲内で入力しないという緯入れミスが発生した場合には織機駆動モータＭｏの作動を停止して製織を停止する。
【００３１】
図５〜図７は、織機制御コンピュータＣｏ、開口制御装置Ｃ３、送り出し制御装置Ｃ１及び巻き取り制御装置Ｃ２によって遂行される織段発生防止プログラムを表すフローチャートである。なお、図７中のｎは１または２を表し、ｎ＝１の場合の制御装置Ｃｎ（＝Ｃ１）は送り出し制御装置Ｃ１を表し、モータＭｎ（＝Ｍ１）は送り出しモータＭ１を表し、完了信号Ｋｎ（＝Ｋ１）は織前移動完了信号Ｋ１を表す。又、ｎ＝２の場合の制御装置Ｃｎ（＝Ｃ２）は巻き取り制御装置Ｃ２を表し、モータＭｎ（＝Ｍ２）は巻き取りモータＭ２を表し、完了信号Ｋｎ（＝Ｋ２）は織前移動完了信号Ｋ２を表す。即ち、ｎ＝１の場合には、図７は送り出し制御装置Ｃ１の制御プログラムを表し、ｎ＝２の場合には、図７は巻き取り制御装置Ｃ２の制御プログラムを表す。以下、図５〜図７のフローチャートに従って織段発生防止を説明する。
【００３２】
緯入れミスが発生すると、織機制御コンピュータＣｏは開口制御装置Ｃ３、送り出し制御装置Ｃ１及び巻き取り制御装置Ｃ２に製織停止信号を送る。次いで、織機制御コンピュータＣｏは織機駆動モータＭｏの作動停止を指令する。開口制御装置Ｃ３は製織停止信号の入力に基づいて開口駆動モータ２４の作動停止を制御する。送り出し制御装置Ｃ１は製織停止信号の入力に基づいて送り出しモータＭ１の作動停止を制御し、巻き取り制御装置Ｃ２は製織停止信号の入力に基づいて巻き取りモータＭ２の作動停止を制御する。織機駆動モータＭｏ、送り出しモータＭ１及び巻き取りモータＭ２は図４に曲線Ｅ１，Ｅ２，Ｅ３で示すように同期して作動停止する。上開口位置及び下開口位置の一方から他方へ移動する開口パターンの経糸Ｔは図３（ａ）に示す位置で停止する。
【００３３】
製織停止後、織機制御コンピュータＣｏは口出し指令信号を開口制御装置Ｃ３に出力する。開口制御装置Ｃ３は口出し指令信号の入力に基づいてミス糸Ｙｍを織布Ｗの織前Ｗ１から除去可能な最大開口を形成するための口出し制御を行なう。この口出し制御では図３（ａ）の状態にある経糸Ｔを上下動するための開口駆動モータ２４が製織時の織機１回転半の間に回転する量だけ逆回転される。図３（ａ）の状態において上開口位置あるいは下開口位置にある経糸（図示略）を上下動するための開口駆動モータ２４は不動あるいは上開口位置及び下開口位置の一方から他方へ経糸を移動する量だけ逆転される。即ち、織機制御コンピュータＣｏは開口パターン記憶装置２８に記憶された開口パターンの逆順序に従うように開口制御装置Ｃ３に口出し指令を行ない、開口制御装置Ｃ３は前記開口パターンの逆順序に従うように開口駆動モータ２４の作動を制御する。開口パターンの順序が例えば(a1,a2,a3,a4) ，(b1,b2,b3,b4) ，(c1,c2,c3,c4) のようになっているとすると、開口パターンの逆順序は、(c1,c2,c3,c4) ，(b1,b2,b3,b4) ，(a1,a2,a3,a4) となる。全ての経糸Ｔは図３（ｂ）に示すように上開口位置又は下開口位置へ配置され、ミス糸Ｙｍが織前Ｗ１から除去可能となる。なお、この際、織機駆動モータＭｏは停止されたままである。
【００３４】
口出し指令信号の出力後、織機制御コンピュータＣｏは、製織時の織機１回転半の間に移動する織布Ｗの移動量（以下、仮想移動量という）を算出する。この仮想移動量の算出には緯糸密度（織布Ｗの単位長さ当たりの緯糸本数）情報及び織機回転速度（１分間当たりの織機の回転数）情報が用いられる。織機制御コンピュータＣｏは織機回転速度情報に基づいて織機駆動モータＭｏの回転速度を制御している。織機制御コンピュータＣｏは織機回転速度情報及び緯糸密度情報を巻き取り制御装置Ｃ２へ送り、巻き取り制御装置Ｃ２は織機回転速度情報及び緯糸密度情報に基づいて巻き取りモータＭ２の回転速度を制御している。
【００３５】
織機制御コンピュータＣｏは算出した仮想移動量の情報を送り出し制御装置Ｃ１及び巻き取り制御装置Ｃ２へ送る。送り出し制御装置Ｃ１は仮想移動量に基づいて送り出しモータＭ１の逆転量を算出する。この逆転量の算出にはワープビーム１２の径の情報が用いられる。ロータリエンコーダ２７は織機１回転に対して１回原点信号を織機制御コンピュータＣｏに出力しており、織機制御コンピュータＣｏは前記原点信号の入力回数からワープビーム１２の径を把握する。織機制御コンピュータＣｏはワープビーム１２の径の情報を送り出し制御装置Ｃ１に送っており、送り出し制御装置Ｃ１は織機制御コンピュータＣｏから送られるワープビーム１２の径情報を送り出しモータＭ１の逆転量の算出に用いる。巻き取り制御装置Ｃ２は仮想移動量に基づいて巻き取りモータＭ２の逆転量を算出する。
【００３６】
送り出し制御装置Ｃ１は算出した逆転量だけ送り出しモータＭ１をスロー逆転する。図４の曲線ｒは送り出しモータＭ１のスロー逆転を表す。巻き取り制御装置Ｃ２は算出した逆転量だけ巻き取りモータＭ２をスロー逆転する。図４の曲線ｓは巻き取りモータＭ２のスロー逆転を表す。
【００３７】
送り出しモータＭ１及び巻き取りモータＭ２のスロー逆転は開口駆動モータ２４の逆転に引き続いて行われ、ミス糸Ｙｍの除去は送り出しモータＭ１及び巻き取りモータＭ２のスロー逆転後に行われる。ミス糸Ｙｍの除去後、起動スイッチ３１がＯＮ操作されると、織機制御コンピュータＣｏは製織開始信号を開口制御装置Ｃ３、送り出し制御装置Ｃ１及び巻き取り制御装置Ｃ２に出力する。送り出し制御装置Ｃ１は、製織開始信号の入力に応答して織前移動完了信号Ｋ１を織機制御コンピュータＣｏ及び開口制御装置Ｃ３に出力すると共に、送り出しモータＭ１の作動開始制御を行なう。巻き取り制御装置Ｃ２は、製織開始信号の入力に応答して織前移動完了信号Ｋ２を織機制御コンピュータＣｏ及び開口制御装置Ｃ３に出力すると共に、巻き取りモータＭ２の作動開始制御を行なう。織機制御コンピュータＣｏは織前移動完了信号Ｋ１，Ｋ２の入力に応答して織機駆動モータＭｏの作動開始制御を行ない、開口制御装置Ｃ３は織前移動完了信号Ｋ１，Ｋ２の入力に応答して開口駆動モータ２４の作動開始制御を行なう。織機駆動モータＭｏ、送り出しモータＭ１及び巻き取りモータＭ２は、図４の曲線Ｄ１，Ｄ２，Ｄ３で示すように同期して作動開始する。
【００３８】
第１の実施の形態では以下の効果が得られる。
（１-1）４つの開口駆動モータ２４は開口駆動手段を構成し、織機制御コンピュータＣｏは口出し指令によって開口駆動手段の作動量を指示する。即ち、織機制御コンピュータＣｏは作動量指示手段となる。ここで言う開口駆動手段の作動量とは、経糸Ｔのある開口状態から前記開口パターンの逆順序に従うようにして経糸Ｔの別の開口状態へ移行するための開口駆動手段の動作量のことである。送り出しモータＭ１、巻き取りモータＭ２及び織機駆動モータＭｏが口出しのための開口駆動手段の動作量に同期して追随したと仮定すると、織機が１回半逆転したことになり、織布Ｗの織前Ｗ１が織機の１回半の逆転に対応した移動を行なったことになる。前記仮定のもとにおける織前Ｗ１の移動が仮想移動量となる。
【００３９】
緯入れミス発生に伴う製織停止時の開口駆動手段の作動量は予め設定されているが、この作動量の設定には任意性がある。仮想移動量算出手段となる織機制御コンピュータＣｏによって算出された仮想移動量は開口駆動手段の作動量に対応し、開口駆動手段の作動量が増えるほど、即ち経糸Ｔのある開口状態から前記開口パターンの逆順序に従うようにして経糸Ｔの別の開口状態へ移行するための開口駆動手段の動作が長引くほど前記仮想移動量が大きくなる。送り出しモータＭ１及び巻き取りモータＭ２は、前記のようにして決定された仮想移動量に基づいて織前Ｗ１を後退する。製織停止時における開口駆動手段の作動量に応じて後退させられた織前Ｗ１からミス糸Ｙｍを除去した後の織前の位置は、製織開始時の本来の織前位置に一致する。従って、緯入れミス発生後のミス糸除去のための開口装置の動作に伴う織前Ｗ１の位置ずれに起因する織段発生は防止される。
【００４０】
（１-2）仮想移動量算出手段である織機制御コンピュータＣｏは、緯糸密度情報を用いて前記仮想移動量を算出する。製織時における巻き取りモータＭ２の回転速度は、織機回転速度及び緯糸密度情報に基づいて設定されるが、このような緯糸密度情報は仮想移動量を算出する上で便利なデータである。
【００４１】
（１-3）経糸Ｔを送り出すための送り出しモータＭ１及び織布Ｗを巻き取るための巻き取りモータＭ２は織前移動手段として好適である。
（１-4）ワープビーム１２の径が異なれば、送り出しモータＭ１の回転量が同じでも経糸Ｔの移送量が異なる。従って、ワーブビーム径を考慮した仮想移動量の算出は、織段発生を精度良く抑制する上で有効である。
【００４２】
（１-5）経糸Ｔを上下動させて口出しを行なう最中に筬１６が織前Ｗ１を叩くと、織段が生じやすい。第１の実施の形態では、緯入れミスしたミス糸Ｙｍを除去するための口出しは、開口駆動モータ２４の作動のみによって行われ、織機駆動モータＭｏが逆転されることはない。従って、口出し最中に筬１６が織前Ｗ１を叩くことはなく、口出し最中の筬１６が織前Ｗ１を叩くことに起因する織段発生は生じない。
【００４３】
次に、図８〜図１０の第２の実施の形態を説明する。第１の実施の形態と同じ構成部には同じ符号が付してある。図９及び図１０は、送り出し制御装置Ｃ１及び巻き取り制御装置Ｃ２によって遂行される織段発生防止プログラムを表すフローチャートである。なお、図９及び図１０中のｎは１または２を表し、ｎ＝１の場合の制御装置Ｃｎ（＝Ｃ１）は送り出し制御装置Ｃ１を表し、モータＭｎ（＝Ｍ１）は送り出しモータＭ１を表し、完了信号Ｋｎ（＝Ｋ１）は織前移動完了信号Ｋ１を表し、補正値ｈｎ（＝ｈ１）は補正値ｈ１を表す。又、ｎ＝２の場合の制御装置Ｃｎ（＝Ｃ２）は巻き取り制御装置Ｃ２を表し、モータＭｎ（＝Ｍ２）は巻き取りモータＭ２を表し、完了信号Ｋｎ（＝Ｋ２）は織前移動完了信号Ｋ２を表し、補正値ｈｎ（＝ｈ２）は補正値ｈ２を表す。即ち、ｎ＝１の場合には、図９及び図１０は送り出し制御装置Ｃ１の制御プログラムを表し、ｎ＝２の場合には、図９及び図１０は巻き取り制御装置Ｃ２の制御プログラムを表す。
【００４４】
この実施の形態では、送り出し制御装置Ｃ１及び巻き取り制御装置Ｃ２にそれぞれ補正入力装置３２，３３が接続されている。送り出し制御装置Ｃ１は補正入力装置３２によって入力された補正情報を記憶し、巻き取り制御装置Ｃ２は補正入力装置３３によって入力された補正情報を記憶する。補正入力装置３２によって入力される補正情報は０≦ｈ１＜１の補正値ｈ１で表される。補正入力装置３３によって入力される補正情報は０≦ｈ２＜１の補正値ｈ２で表される。
【００４５】
織機制御コンピュータＣｏによる織段発生防止用の制御プログラムを表すフローチャートは図示していないが図５と同じであり、開口制御装置Ｃ３による織段発生防止用の制御プログラムを表すフローチャートは図示していないが図６と同じである。即ち、織機制御コンピュータＣｏは開口パターン記憶装置２８に記憶された開口パターンの逆順序に従うように開口制御装置Ｃ３に口出し指令を行ない、開口制御装置Ｃ３は前記開口パターンの逆順序に従うように開口駆動モータ２４の作動を制御する。開口パターンの逆順序に従うように開口駆動モータ２４を作動する制御は、ミス糸Ｙｍに対応する開口パターン情報に基づいてミス糸Ｙｍを織前Ｗ１から除去可能に開口駆動モータ２４の作動を制御することである。開口パターン記憶装置２８は開口パターン情報を記憶する開口パターン記憶手段となる。織機制御コンピュータＣｏ及び開口制御装置Ｃ３は、緯入れミス発生時の開口パターン情報に基づいて緯入れミスしたミス糸Ｙｍを織前Ｗ１から除去可能に開口駆動モータ２４の作動を制御するミス糸除去用口出し制御手段となる。
【００４６】
第２の実施の形態における織段発生防止プログラムは、フローチャートのステップＳ１〜Ｓ２の間が第１の実施の形態の場合と異なる。そこで、フローチャートのステップＳ１〜Ｓ２の間の制御プログラムのみを詳細に説明する。
【００４７】
送り出し制御装置Ｃ１は、織機制御コンピュータＣｏから送られた仮想移動量の情報に基づいて送り出しモータＭ１の逆転量を算出する。巻き取り制御装置Ｃ２は、織機制御コンピュータＣｏから送られた仮想移動量の情報に基づいて巻き取りモータＭ２の逆転量を算出する。送り出しモータＭ１の算出逆転量をρ、巻き取りモータＭ２の算出逆転量をσとする。
【００４８】
補正入力装置３２によって入力される補正情報が送り出し制御装置Ｃ１に記憶されていない場合、送り出し制御装置Ｃ１は算出逆転量ρだけ送り出しモータＭ１をスロー逆転する。補正入力装置３２によって入力される補正情報が送り出し制御装置Ｃ１に記憶されている場合、補正値ｈ１が０＜ｈ１＜１の場合には送り出し制御装置Ｃ１は算出逆転量ρに補正値ｈ１を掛けた量ｈ１・ρに算出逆転量ρを補正する。そして、送り出し制御装置Ｃ１は逆転補正量ｈ１・ρだけ送り出しモータＭ１をスロー逆転する。補正値ｈ１が零の場合には送り出し制御装置Ｃ１は送り出しモータＭ１をスロー逆転しない。
【００４９】
補正入力装置３３によって入力される補正情報が巻き取り制御装置Ｃ２に記憶されていない場合、送り出し制御装置Ｃ１は算出逆転量σだけ巻き取りモータＭ２をスロー逆転する。補正入力装置３３によって入力される補正情報が巻き取り制御装置Ｃ２に記憶されている場合、補正値ｈ２が０＜ｈ２＜１の場合には巻き取り制御装置Ｃ２は算出逆転量σに補正値ｈ２を掛けた量ｈ２・σに算出逆転量σを補正する。そして、巻き取り制御装置Ｃ２は逆転補正量ｈ２・σだけ巻き取りモータＭ２をスロー逆転する。補正値ｈ２が零の場合には巻き取り制御装置Ｃ２は巻き取りモータＭ２をスロー逆転しない。
【００５０】
ミス糸Ｙｍの除去後、起動スイッチ３１がＯＮ操作されると、織機制御コンピュータＣｏは製織開始信号を開口制御装置Ｃ３、送り出し制御装置Ｃ１及び巻き取り制御装置Ｃ２に出力する。
【００５１】
製織再開時における織前Ｗ１の適正な位置は、織物種類、経糸張力、経糸種類等の製織条件の影響を受ける。補正値ｈ１，ｈ２は、織物種類、経糸張力、経糸種類の製織条件を考慮して設定されている。補正値ｈ１，ｈ２は、織物種類、経糸張力、経糸種類のうちの２つ、あるいは１つのみの製織条件を考慮して設定してもよい。あるいは補正値ｈ１，ｈ２は、織物種類、経糸張力、経糸種類に他の製織条件を加えて考慮して設定してもよい。織物種類、経糸張力、経糸種類等の製織条件を考慮した補正値ｈ１，ｈ２の設定は織段発生防止に有効である。
【００５２】
補正入力装置３２は、送り出し制御装置Ｃ１において前記仮想移動量から演算される送り出しモータＭ１の逆転量を経糸種類、織物種類、経糸張力等の製織条件に基づく補正情報に基づいて補正する補正手段である。補正入力装置３３は、巻き取り制御装置Ｃ２において前記仮想移動量から演算される巻き取りモータＭ２の逆転量を経糸種類、織物種類、経糸張力等の製織条件に基づく補正情報に基づいて補正する補正手段である。このような補正は、経糸種類、織物種類、経糸張力等の製織条件に応じたきめ細かな織前位置制御を可能とし、織段発生抑制効果が更に向上する。
【００５３】
次に、本発明をパイル織機に具体化した図１１〜図１３の第３の実施の形態を説明する。第１の実施の形態と同じ構成部には同じ符号が付してある。
図１１に示すように、ワープビーム１２の上方にはパイル用ワープビーム１１が支持されている。パイル用ワープビーム１１は送り出しモータＭ３により回転駆動される。送り出しモータＭ３の作動によりパイル用ワープビーム１１から送り出されるパイル用経糸Ｔｐは転向ローラ３４、張力付与バー３５及びテリーモーションローラ３６に沿った経路を経由して綜絖枠１５及び筬１６に通される。張力付与バー３５は基端を固定支持された板ばね３５１の先端に支持されている。パイル用経糸Ｔｐの張力は転向ローラ３４を介して経糸張力検出器３７により検出される。
【００５４】
送り出しモータＭ３は送り出し制御装置Ｃ４の制御を受ける。送り出し制御装置Ｃ４は予め設定された基準張力と経糸張力検出器３７から得られる張力検出情報との比較に基づいて送り出しモータＭ３の送り出し速度を制御する。そして、送り出し制御装置Ｃ４は、送り出しモータＭ３に組み込まれたロータリエンコーダＭｅ３からの回転角度検出信号に基づいて送り出しモータＭ３の回転速度をフィードバック制御する。
【００５５】
織機の前後中央部に配設された中間レバー３８が回動すると、織機の前後の支持レバー３９，４０が同一方向へ回動し、エキスパンションバー１７及びテリーモーションローラ３６が同一方向へ変位する。エキスパンションバー１７の変位により織布Ｗの経路が変位し、織布Ｗの織前Ｗ１が変位する。テリーモーションローラ３６の変位によりパイル用経糸Ｔｐの経路が変位する。
【００５６】
中間レバー３８の上方にはタオル製織機構４１が配設されており、タオル製織機構４１は織機駆動モータＭｏから駆動力を得る。織機制御コンピュータＣｏ及び送り出し制御装置Ｃ４には柄出し制御装置４２が接続されている。柄出し制御装置４２にはタオル用の柄パターンが入力設定されている。柄出し制御装置４２は緯入れ１サイクル中の所定の織機回転角度毎に織機制御コンピュータＣｏ及び送り出し制御装置Ｃ４に柄パターンを送る。柄出し制御装置４２から織機制御コンピュータＣｏに送られる柄パターンにはパイル形成情報、ボーダー形成情報、緯糸密度情報等が含まれている。織機制御コンピュータＣｏは柄パターンに含まれる緯糸密度情報に基づいて巻き取りモータＭ２の回転速度を制御する。
【００５７】
織機制御コンピュータＣｏは柄出し制御装置４２から得られる柄パターンに基づいてタオル製織機構４１を作動させる。パイル形成時にはタオル製織機構４１の駆動レバー４１１が揺動変位し、駆動レバー４１１の揺動変位が中間レバー３８及び支持レバー３９を介してエキスパンションバー１７に伝達される。この変位伝達によりエキスパンションバー１７が揺動変位する。ファーストピック状態の筬打ち時点にはエキスパンションバー１７は図１１に実線で示すテリー量零位置に配置される。ルーズピック状態の筬打ち時点にはエキスパンションバー１７は図１１に鎖線で示すテリー量有位置に配置される。パイルを形成しないときには駆動レバー４１１は揺動せず、エキスパンションバー１７は図１１の実線位置に保持される。
【００５８】
この実施の形態では、図１３（ａ），（ｂ），（ｃ）に示す３本緯タオル組織の製織を前提としている。Ｙ１はファーストピック緯糸であり、Ｙ２，Ｙ３はルーズピック緯糸である。Ｗｂは地織部であり、Ｙｂは地織部の緯糸である。図１３（ａ）はルーズピック緯糸Ｙ２の筬打ち状態を示し、図１３（ｂ）はルーズピック緯糸Ｙ３の筬打ち状態を示す。
【００５９】
図１２に示すように、織機制御コンピュータＣｏには逆転インチングスイッチ４３、正転インチングスイッチ４４及び補正入力装置４５が信号接続されている。逆転インチングスイッチ４３をＯＮ操作すると、織機制御コンピュータＣｏは開口パターンを逆に辿るように開口制御装置Ｃ３に逆転指令を出力する。正転インチングスイッチ４４をＯＮ操作すると、織機制御コンピュータＣｏは開口パターンを順に辿るように開口制御装置Ｃ３に正転指令を出力する。開口制御装置Ｃ３は織機制御コンピュータＣｏの正転指令あるいは逆転指令に基づいて開口駆動モータ２４からなる開口駆動手段の作動を制御する。
【００６０】
織機制御コンピュータＣｏは、逆転インチングスイッチ４３あるいは正転インチングスイッチ４４のＯＮ操作による開口駆動手段の作動量に応じた仮想移動量を算出する。補正入力装置４５は、前記仮想移動量を経糸種類、織物種類、経糸張力等に基づいて補正する補正手段である。この算出して補正された仮想移動量の情報は、織機制御コンピュータＣｏから送り出し制御装置Ｃ１，Ｃ４及び巻き取り制御装置Ｃ２へ送られる。仮想移動量に基づいた送り出しモータＭ１及び巻き取りモータＭ２のスロー逆転は第１の実施の形態の場合と同じである。送り出し制御装置Ｃ４は、仮想移動量に基づいて送り出しモータＭ１の場合と同様に送り出しモータＭ３のスロー逆転量を算出する。
【００６１】
緯入れミス発生が検出されると、織機制御コンピュータＣｏは、予め設定された柄パターンに基づいてミス糸がファーストピック緯糸Ｙ１、ルーズピック緯糸Ｙ２，Ｙ３、地織部Ｗｂの緯糸Ｙｂのいずれであるかを判別する。ミス糸がルーズピック緯糸Ｙ２，Ｙ３、地織部Ｗｂの緯糸Ｙｂのいずれかである場合には、ミス糸のみを織前Ｗ１から除去すればよい。ミス糸がファーストピック緯糸Ｙ１である場合、織機制御コンピュータＣｏは警報装置４６を作動する。図１３（ｃ）に示すファーストピック緯糸Ｙ１ｍが緯入れミスしたミス糸である場合、ミス糸Ｙ１ｍ、及びその前のルーズピック緯糸Ｙ３，Ｙ２を織前Ｗ１から除去する必要がある。警報装置４６の警報により作業者が逆転インチングスイッチ４３をＯＮ操作して口出しをしながらミス糸Ｙ１ｍ、及びその前のルーズピック緯糸Ｙ３，Ｙ２を織前Ｗ１から除去処理する。この除去処理後、起動スイッチ３１をＯＮ操作して製織が再開される。
【００６２】
織機制御コンピュータＣｏは、逆転インチングスイッチ４３あるいは正転インチングスイッチ４４のＯＮ操作に応じた開口駆動手段の作動量を指令する。逆転インチングスイッチ４３及び正転インチングスイッチ４４は織機制御コンピュータＣｏと共に作動量指示手段を構成する。又、織機制御コンピュータＣｏは仮想移動量算出手段となる。
【００６３】
この実施の形態では、製織停止時における開口駆動手段の作動量が逆転インチングスイッチ４３あるいは正転インチングスイッチ４４のＯＮ操作によって任意に調整される。しかし、織段抑制のための送り出しモータＭ１，Ｍ３及び巻き取りモータＭ２のスロー逆転量が開口駆動手段の任意の作動量に対して自動決定されるため、製織停止時における開口駆動手段のどのような作動に対しても織段発生防止効果が得られる。
【００６４】
次に、図１４〜図１９の第４の実施の形態を説明する。第１の実施の形態と同じ構成部には同じ符号が付してある。図１５〜図１９は、織機制御コンピュータＣｏ、開口制御装置Ｃ３、送り出し制御装置Ｃ１及び巻き取り制御装置Ｃ２によって遂行される織段発生防止プログラムを表すフローチャートである。なお、図１９中のｎは１または２を表し、ｎ＝１の場合の制御装置Ｃｎ（＝Ｃ１）は送り出し制御装置Ｃ１を表し、モータＭｎ（＝Ｍ１）は送り出しモータＭ１を表す。又、ｎ＝２の場合の制御装置Ｃｎ（＝Ｃ２）は巻き取り制御装置Ｃ２を表し、モータＭｎ（＝Ｍ２）は巻き取りモータＭ２を表す。即ち、ｎ＝１の場合には、図１９は送り出し制御装置Ｃ１の制御プログラムを表し、ｎ＝２の場合には、図１９は巻き取り制御装置Ｃ２の制御プログラムを表す。
【００６５】
図１４に示すように、織機制御コンピュータＣｏには正転インチングスイッチ５０、逆転インチングスイッチ５１及び停止信号発生器５２が信号接続されている。停止信号発生器５２は、運転停止スイッチ、経糸切れ検出器等の運転停止信号を出力するもののことである。停止信号発生器５２が運転停止信号を出力すると、織機制御コンピュータＣｏは運転中の織機駆動モータＭｏの作動を停止する。正転インチングスイッチ５０をＯＮ操作すると、正転インチング信号が織機制御コンピュータＣｏに出力される。逆転インチングスイッチ５１をＯＮ操作すると、逆転インチング信号が織機制御コンピュータＣｏに出力される。
【００６６】
図１５は織機制御コンピュータＣｏによる織段発生防止用の制御プログラムである。停止信号発生器５２が運転停止信号を出力すると、織機制御コンピュータＣｏは、開口制御装置Ｃ３、送り出し制御装置Ｃ１及び巻き取り制御装置Ｃ２に製織停止信号を出力すると共に、織機駆動モータＭｏを停止させる。織機制御コンピュータＣｏは、開口パターン記憶装置２８に記憶されている開口パターン情報に基づいて、織機駆動モータＭｏが停止した際に最終緯入れされた緯糸に対応する開口パターン情報（以下、最終開口パターン情報という）を記憶すると共に、開口制御装置Ｃ３に出力する。開口制御装置Ｃ３は送られた最終開口パターン情報を記憶する。
【００６７】
製織停止中に正転インチングスイッチ５０あるいは逆転インチングスイッチ５１がＯＮ操作されると、織機制御コンピュータＣｏは、正転インチング信号あるいは逆転インチング信号の入力に応答して同期インチング指令信号を開口制御装置Ｃ３、送り出し制御装置Ｃ１及び巻き取り制御装置Ｃ２に出力する。そして、織機制御コンピュータＣｏは織機駆動モータＭｏをインチングする。送り出し制御装置Ｃ１は、同期インチング指令信号の入力に応答して送り出しモータＭ１を同期インチングさせる。巻き取り制御装置Ｃ２は、同期インチング指令信号の入力に応答して巻き取りモータＭ２を同期インチングさせる。送り出しモータＭ１及び巻き取りモータＭ２の同期インチングは、織機駆動モータＭｏのインチングに応じた織前Ｗ１の移動をもたらすように行われる。送り出し制御装置Ｃ１及び巻き取り制御装置Ｃ２によるその他の制御は第１の実施の形態の場合と同じである。
【００６８】
起動スイッチ３１がＯＮ操作されると、織機制御コンピュータＣｏは口出し指令信号を開口制御装置Ｃ３に出力する。開口制御装置Ｃ３は、口出し指令信号の入力及び記憶した最終開口パターン情報に基づいて最終緯入れされた緯糸を織前Ｗ１から除去可能に開口駆動モータ２４の作動を制御する。これにより経糸Ｔが最終緯入れされた緯糸を織前Ｗ１から除去可能な開口状態を形成し、最終緯入れされた緯糸が織前Ｗ１から除去可能となる。開口制御装置Ｃ３は、口出し制御を完了すると口出し制御完了信号を織機制御コンピュータＣｏに出力する。織機制御コンピュータＣｏは、口出し制御完了信号の入力に基づき、現在の開口パターンと記憶している最終開口パターン情報とから仮想移動量を算出する。織機制御コンピュータＣｏは、開口パターン記憶装置２８に記憶されている開口パターン情報に基づいて現在の開口パターンを把握する。
【００６９】
次いで、織機制御コンピュータＣｏは、算出した仮想移動量の情報を送り出し制御装置Ｃ１及び巻き取り制御装置Ｃ２に出力する。そして、織機制御コンピュータＣｏは記憶した最終開口パターン情報の消去を行なう。その後、織機制御コンピュータＣｏは製織開始信号を開口制御装置Ｃ３、送り出し制御装置Ｃ１及び巻き取り制御装置Ｃ２に出力し、織機制御コンピュータＣｏによる以後の制御が第１の実施の形態と同じように行われる。
【００７０】
最終緯入れされた緯糸を織前Ｗ１から除去可能な開口状態とする口出しでは、綜絖枠１５の開口パターンが開口パターン記憶装置２８に記憶された開口パターンの順序あるいは逆順序に従うことなく口出し指令信号の出力前の開口パターンから最終開口パターンへと直接移行する。例えば、開口パターンの順序が・・・(a1,a2,a3,a4) ，(b1,b2,b3,b4) ，(c1,c2,c3,c4) ，(d1,d2,d3,d4) ・・・となっており、最終開口パターンが(a1,a2,a3,a4) 、現在の開口パターンが(d1,d2,d3,d4) になっているとする。開口パターンの順序あるいは逆順序に従うことなく口出し指令信号の出力前の開口パターンから最終開口パターンへと直接移行することとは、開口パターン(d1,d2,d3,d4) から開口パターン(c1,c2,c3,c4) ，(b1,b2,b3,b4) を経由することなく最終開口パターン(a1,a2,a3,a4) へ移行することである。しかし、ここにおける複数の開口駆動モータ２４からなる開口駆動手段の作動量は、口出し指令信号の出力前の経糸開口状態から最終開口パターンの経糸開口状態への移行において開口パターンの順序あるいは逆順序に従ったものと仮定した開口駆動手段の動作量のこととする。このように仮定して規定される開口駆動手段の作動量に対応する仮想移動量は、口出し指令信号の出力前の織機駆動モータＭｏのインチング時の織前Ｗ１の移動量となる。
【００７１】
第４の実施の形態における織機制御コンピュータＣｏは、織機駆動モータＭｏが停止した際に最終緯入れされた緯糸に対応する最終開口パターン情報を記憶する記憶手段となる。又、第４の実施の形態における織機制御コンピュータＣｏ及び開口制御装置Ｃ３は、最終緯入れされた緯糸を織前Ｗ１から除去可能に開口駆動モータ２４の作動を制御する口出し制御手段となる。
【００７２】
緯入れミスした場合の織段発生防止プログラムは第１の実施の形態の場合と同じである。
製織停止の際に最終緯入れされた緯糸が緯入れミスしたミス糸でない場合にも、最終緯入れされた緯糸を織前Ｗ１から除去する場合がある。従来では、正転インチングスイッチ５０あるいは逆転インチングスイッチ５１をＯＮ操作してしまった後では開口状態がわからなくなり、口出しを行なうことが非常に面倒になるという問題があった。第４の実施の形態では、正転インチングスイッチ５０あるいは逆転インチングスイッチ５１をＯＮ操作してしまった後でも、最終緯入れされた緯糸を除去できる口出しが簡単に行われる。従って、第４の実施の形態では、最終緯入れされた緯糸が緯入れミスしたミス糸でない場合にも織前Ｗ１から簡単に除去することができる。
【００７３】
第１の実施の形態では、経糸Ｔのある開口状態から前記開口パターンの逆順序に従うようにして経糸Ｔの別の開口状態へ移行するための開口駆動手段の動作量のことを開口駆動手段の作動量とした。第４の実施の形態では、ある経糸開口状態から開口パターンの順序あるいは逆順序に従うことなく最終開口パターンの経糸開口状態へ移行するための開口駆動手段の動作量のことを開口駆動手段の作動量とした。本発明では、ある経糸開口状態から開口パターンの順序あるいは逆順序に従うようにして別の経糸開口状態へ移行するための開口駆動手段の第１の動作量、及びある経糸開口状態から開口パターンの順序あるいは逆順序に従うことなく別の経糸開口状態へ移行するための開口駆動手段の第２の動作量のいずれをも開口駆動手段の作動量とする。開口駆動手段の第２の動作量は、開口パターンの順序あるいは逆順序に仮に従ったものとした開口駆動手段の作動量とする。
【００７４】
本発明では以下のような実施の形態も可能である。
（１）第１〜第４の実施の形態において、織前移動手段として送り出しモータＭ１のみを用いること。
（２）サーフェスローラ１８の駆動力を織機駆動モータＭｏから得る織機に本発明を適用し、織前移動手段として送り出しモータＭ１を用いること。
（３）第１〜第４の実施の形態において、織前移動手段として巻き取りモータＭ２のみを用いること。
（４）開口制御装置Ｃ３を仮想移動量算出手段とすること。
（５）起動スイッチ３１のＯＮ操作に伴って前記仮想移動量を算出するようにすること。
（６）第２の実施の形態において、指定された値を補正情報とし、仮想移動量から前記指定された値を引いて仮想移動量を補正すること。
（７）開口駆動手段として特開平６−３４６３４５号公報に開示されるようなピックファインディング装置を用いること。
（８）織機の再起動時には、織機駆動モータを動かすことなく再起動用の開口パターンに綜絖枠を合わせ、その後、織機駆動モータを動かして織機回転角度を起動開始角度に合わせるようにすること。織機停止時の織機回転角度と起動開始角度とが異なる緯入れサイクルにある場合、筬が織機停止時の織機回転角度に対応する位置から起動開始角度に対応する位置に移行する場合にも、筬が織前を叩くことはない。筬が織機停止時の織機回転角度に対応する位置から起動開始角度に対応する位置に移行する際に織前を叩くと、織段が生じるおそれがある。
（９）前記（８）項の制御の遂行を織物種類、緯糸種類、緯糸密度等に基づいて選択できるようにすること。
（１０）経糸張力を考慮して仮想移動量を算出すること。経糸張力は織段発生を防止する上で考慮しなければならない重要なデータであり、経糸張力を考慮した仮想移動量の算出は、織段発生を精度良く抑制する上で有効である。
（１１）仮想移動量をもたらす織前移動を開口駆動モータの動作と同時に行なうようにすること。
【００７５】
【発明の効果】
以上詳述したように本発明では、織機駆動モータ停止時における開口駆動手段の作動量に対応する織布の仮想移動量を算出し、前記仮想移動量をもたらすように前記織機駆動モータ停止時における織前移動手段の作動量を制御して織布の織前位置を調整するようにしたので、織段発生を回避しつつ製織停止時における開口装置の動作の自由度を高め得るという優れた効果を奏する。
【図面の簡単な説明】
【図１】第１の実施の形態を示す側面図。
【図２】制御ブロック図。
【図３】（ａ）は緯入れミス発生に伴う製織停止時の布断面図。（ｂ）は口出し状態を示す布断面図。
【図４】製織停止、製織再開、送り出しモータ及び巻き取りモータのスロー逆転を説明するタイミングチャート。
【図５】織段発生防止プログラムを表すフローチャート。
【図６】織段発生防止プログラムを表すフローチャート。
【図７】織段発生防止プログラムを表すフローチャート。
【図８】第２の実施の形態を示す制御ブロック図。
【図９】織段発生防止プログラムを表すフローチャート。
【図１０】織段発生防止プログラムを表すフローチャート。
【図１１】第３の実施の形態を示す側面図。
【図１２】制御ブロック図。
【図１３】（ａ）はルーズピック緯糸Ｙ２の筬打ち状態を示す布断面図。（ｂ）はルーズピック緯糸Ｙ３の筬打ち状態を示す布断面図。（ｃ）はファーストピック緯糸の筬打ち状態を示す布断面図。
【図１４】第４の実施の形態を示す制御ブロック図。
【図１５】織段発生防止プログラムを表すフローチャート。
【図１６】織段発生防止プログラムを表すフローチャート。
【図１７】織段発生防止プログラムを表すフローチャート。
【図１８】織段発生防止プログラムを表すフローチャート。
【図１９】織段発生防止プログラムを表すフローチャート。
【符号の説明】
１５…綜絖枠、２４…開口駆動手段となる開口駆動モータ、２８…開口パターン記憶手段となる開口パターン記憶装置、３２，３３，４５…補正手段となる補正入力装置、４３…作動量指示手段を構成する逆転インチングスイッチ、４４…作動量指示手段を構成する正転インチングスイッチ、Ｍｏ…織機駆動モータ、Ｍ１，Ｍ３…織前移動手段を構成する送り出しモータ、Ｍ２…織前移動手段を構成する巻き取りモータ、Ｃｏ…作動量指示手段を構成すると共に、仮想移動量算出手段となる織機制御コンピュータ、Ｃ１…作動量制御手段となる送り出し制御装置、Ｃ２…作動量制御手段となる巻き取り制御装置、Ｃ３…最終開口パターン情報を記憶する記憶手段となる開口制御装置。
【図１】
0004527817.tif 000002
【図２】
0004527817.tif 000003
【図３】
0004527817.tif 000004
【図４】
0004527817.tif 000005
【図５】
0004527817.tif 000006
【図６】
0004527817.tif 000007
【図７】
0004527817.tif 000008
【図８】
0004527817.tif 000009
【図９】
0004527817.tif 000010
【図１０】
0004527817.tif 000011
【図１１】
0004527817.tif 000012
【図１２】
0004527817.tif 000013
【図１３】
0004527817.tif 000014
【図１４】
0004527817.tif 000015
【図１５】
0004527817.tif 000016
【図１６】
0004527817.tif 000017
【図１７】
0004527817.tif 000018
【図１８】
0004527817.tif 000019
【図１９】
0004527817.tif 000020